【手続補正書】
【提出日】平成26年3月5日(2014.3.5)
【手続補正１】
【補正対象書類名】特許請求の範囲
【補正対象項目名】全文
【補正方法】変更
【補正の内容】
【特許請求の範囲】
【請求項１】
記録媒体を搬送する搬送部と、
前記搬送部で搬送される前記記録媒体にインクを吐出するラインインクジェットヘッドと、
バッファーを有する記憶部と、
記録データを含む画像の記録に係るジョブ及び前記ジョブに関する情報を取得し、取得した前記ジョブに関する情報に基づいて前記バッファーをブロックに分割し、分割された前記ブロックに前記ジョブに含まれる前記記録データを記憶し、前記ブロックに記憶された前記記録データに基づいて前記搬送部と前記ラインインクジェットヘッドとを制御し、前記記録媒体に記録させる制御部と、
を有することを特徴とする記録装置。
【請求項２】
前記記録媒体は、所定のサイズのラベル部が間隔をあけて剥離紙に貼付されたラベル用紙であり、
前記ジョブに関する情報は、前記ラベル部のサイズである請求項１に記載の記録装置。
【請求項３】
前記ジョブに関する情報は、前記ラベル部の前記記録媒体の搬送方向の長さである請求項１に記載の記録装置。
【請求項４】
記録データを含む画像の記録に係るジョブ及び前記ジョブに関する情報を送信する制御装置と、
記録媒体を搬送する搬送部、前記制御装置で送信された前記ジョブと前記ジョブに関する情報とを受信する受信部、前記搬送部で搬送される記録媒体にインクを吐出するラインインクジェットヘッド、バッファーを有する記憶部、及び記録データを含む画像の記録に係るジョブ及び前記ジョブに関する情報を取得して取得した前記ジョブに関する情報に基づいて前記バッファーをブロックに分割して分割された前記ブロックに前記ジョブに含まれる前記記録データを記憶して前記ブロックに記憶された前記記録データに基づいて前記搬送部と前記ラインインクジェットヘッドとを制御して前記記録媒体に記録させる制御部と、
を備えることを特徴とする記録システム。
【請求項５】
記録データを含む画像の記録に係わるジョブ、及び前記ジョブに関する情報を取得し、
取得された前記ジョブに関する情報に基づいて記録データを記憶するバッファーをブロックに分割し、
分割された前記ブロックに前記ジョブに含まれる前記記録データを記憶し、
前記ブロックに記憶された前記記録データに基づいて、記録媒体を搬送する搬送部と前記記録媒体にインクを吐出するラインインクジェットヘッドとを制御して前記記録媒体に記録することを特徴とする記録装置の制御方法。
【請求項６】
制御部に、
記録データを含む画像の記録に係わるジョブ、及び前記ジョブに関する情報を取得させ、
取得された前記ジョブに関する情報に基づいて記録データを記憶するバッファーをブロックに分割させ、
分割された前記ブロックに前記ジョブに含まれる前記記録データを記憶させ、
前記ブロックに記憶された前記記録データに基づいて、記録媒体にインクを吐出するラインインクジェットヘッドに記録させることを特徴とするプログラム。
【手続補正２】
【補正対象書類名】明細書
【補正対象項目名】０００５
【補正方法】変更
【補正の内容】
【０００５】
上記目的を達成するために、本発明は、記録装置であって、記録媒体を搬送する搬送部と、前記搬送部で搬送される前記記録媒体にインクを吐出するラインインクジェットヘッドと、バッファーを有する記憶部と、記録データを含む画像の記録に係るジョブ及び前記ジョブに関する情報を取得し、取得した前記ジョブに関する情報に基づいて前記バッファーをブロックに分割し、分割された前記ブロックに前記ジョブに含まれる前記記録データを記憶し、前記ブロックに記憶された前記記録データに基づいて前記搬送部と前記ラインインクジェットヘッドとを制御し、前記記録媒体に記録させる制御部と、を有することを特徴とする。
この構成によれば、ジョブ、又は、ジョブに関する情報に基づいて、バッファーが分割されてブロックが形成される構成のため、ジョブごとに生成される記録データの大きさを反映した適切な大きさでバッファーを分割してブロックを形成することが可能となり、さらに、各ジョブに係る記録データが、ブロックのそれぞれに記憶される構成のため、複数のジョブが入力され、入力された複数のジョブを順次実行するという特性を踏まえ、各ジョブにおける記録データのそれぞれを、効率よく、バッファーに記憶させることができる。
【手続補正３】
【補正対象書類名】明細書
【補正対象項目名】０００６
【補正方法】変更
【補正の内容】
【０００６】
また、上記発明の記録装置であって、本発明は、前記記録媒体は、所定のサイズのラベル部が間隔をあけて剥離紙に貼付されたラベル用紙であり、前記ジョブに関する情報は、前記ラベル部のサイズである。
この構成によれば、バッファーに形成されるブロックのサイズが、ラベル部のサイズに対応したサイズとなり、ラベル部に記録される画像に係る記録データを、効率よくバッファーに記憶させることが可能となる。
【手続補正４】
【補正対象書類名】明細書
【補正対象項目名】０００７
【補正方法】変更
【補正の内容】
【０００７】
また、上記発明の記録装置であって、本発明は、前記ジョブに関する情報は、前記ラベル部の前記記録媒体の搬送方向の長さである。
この構成によれば、バッファーに形成されるブロックのサイズ、すなわち、ブロックを形成するラインの数が、ラベル部の搬送方向における長さに対応したものとなり、ラベル部に記録される画像に係る記録データを、効率よくバッファーに記憶させることが可能となる。
【手続補正５】
【補正対象書類名】明細書
【補正対象項目名】０００８
【補正方法】変更
【補正の内容】
【０００８】
また、上記目的を達成するために、本発明は、記録装置であって、記録データを含む画像の記録に係るジョブ及び前記ジョブに関する情報を送信する制御装置と、記録媒体を搬送する搬送部、前記制御装置で送信された前記ジョブと前記ジョブに関する情報とを受信する受信部、前記搬送部で搬送される記録媒体にインクを吐出するラインインクジェットヘッド、バッファーを有する記憶部、及び記録データを含む画像の記録に係るジョブ及び前記ジョブに関する情報を取得して取得した前記ジョブに関する情報に基づいて前記バッファーをブロックに分割して分割された前記ブロックに前記ジョブに含まれる前記記録データを記憶して前記ブロックに記憶された前記記録データに基づいて前記搬送部と前記ラインインクジェットヘッドとを制御して前記記録媒体に記録させる制御部と、を備えることを特徴とする。
この構成によれば、ジョブ、又は、ジョブに関する情報に基づいて、バッファーが分割されてブロックが形成される構成のため、ジョブごとに生成される記録データの大きさを反映した適切な大きさでバッファーを分割してブロックを形成することが可能となり、さらに、各ジョブに係る記録データが、ブロックのそれぞれに記憶される構成のため、複数のジョブが入力され、入力された複数のジョブを順次実行するという特性を踏まえ、各ジョブにおける記録データのそれぞれを、効率よく、バッファーに記憶させることができる。
【手続補正６】
【補正対象書類名】明細書
【補正対象項目名】０００９
【補正方法】変更
【補正の内容】
【０００９】
また、上記目的を達成するために、本発明は、記録装置の制御方法であって、記録データを含む画像の記録に係わるジョブ、及び前記ジョブに関する情報を取得し、取得された前記ジョブに関する情報に基づいて記録データを記憶するバッファーをブロックに分割し、
分割された前記ブロックに前記ジョブに含まれる前記記録データを記憶し、前記ブロックに記憶された前記記録データに基づいて、記録媒体を搬送する搬送部と前記記録媒体にインクを吐出するラインインクジェットヘッドとを制御して前記記録媒体に記録することを特徴とする。
この制御方法によれば、ジョブ、又は、ジョブに関する情報に基づいて、バッファーが分割されてブロックが形成される構成のため、ジョブごとに生成される記録データの大きさを反映した適切な大きさでバッファーを分割してブロックを形成することが可能となり、さらに、各ジョブに係る記録データが、ブロックのそれぞれに記憶される構成のため、複数のジョブが入力され、入力された複数のジョブを順次実行するという特性を踏まえ、各ジョブにおける記録データのそれぞれを、効率よく、バッファーに記憶させることができる。
【手続補正７】
【補正対象書類名】明細書
【補正対象項目名】００１０
【補正方法】変更
【補正の内容】
【００１０】
また、上記目的を達成するために、本発明は、プログラムであって、制御部に、記録データを含む画像の記録に係わるジョブ、及び前記ジョブに関する情報を取得させ、取得された前記ジョブに関する情報に基づいて記録データを記憶するバッファーをブロックに分割させ、分割された前記ブロックに前記ジョブに含まれる前記記録データを記憶させ、前記ブロックに記憶された前記記録データに基づいて、記録媒体にインクを吐出するラインインクジェットヘッドに記録させることを特徴とする。
このプログラムを実行すれば、ジョブ、又は、ジョブに関する情報に基づいて、バッファーが分割されてブロックが形成される構成のため、ジョブごとに生成される記録データの大きさを反映した適切な大きさでバッファーを分割してブロックを形成することが可能となり、さらに、各ジョブに係る記録データが、ブロックのそれぞれに記憶される構成のため、複数のジョブが入力され、入力された複数のジョブを順次実行するという特性を踏まえ、各ジョブにおける記録データのそれぞれを、効率よく、バッファーに記憶させることができる。